(57)【要約】【課題】記録データサイズが小さい場合にも取り出した情報記録媒体をＤＶＤ−ＲＯＭドライブで正常に再生することを保証する記録システムを提供する。【解決手段】ホストと、ホストからの要求に応じて情報記録媒体にデータの記録を行う情報記録装置と、を備えた記録システムであって、前記情報記録媒体は、リードイン領域、データ記録領域、リードアウト領域が形成され、前記データ記録領域は、複数の記録区分に分割され、さらに前記各記録区分内を複数の記録ブロックに分割されて記録が行われ得るものであり、前記ホストは、前記情報記録装置に、最後の前記記録区分を終了する要求を出し、前記情報記録装置は、前記最後の記録区分の終了要求を受領した場合、所定の領域までデータが記録されないとき、前記リードアウト領域が前記所定の領域まで含むよう前記リードアウト領域を形成することにより、上記課題を解決する。【選択図】図１
2007048451.tif 000002
【特許請求の範囲】
【請求項１】
ホストと、
ホストからの要求に応じて情報記録媒体にデータの記録を行う情報記録装置と、を備えた記録システムであって、
前記情報記録媒体は、リードイン領域、データ記録領域、リードアウト領域が形成され、前記データ記録領域は、複数の記録区分に分割され、さらに前記各記録区分内を複数の記録ブロックに分割されて記録が行われ得るものであり、
前記ホストは、前記情報記録装置に、最後の前記記録区分を終了する要求を出し、
前記情報記録装置は、前記最後の記録区分の終了要求を受領した場合、所定の領域までデータが記録されないとき、前記リードアウト領域が前記所定の領域まで含むよう前記リードアウト領域を形成することを特徴とする記録システム。
【請求項２】
前記情報記録装置は、
前記所定の領域までデータが記録されない場合、ダミーデータを記録した後、前記リードアウト領域を形成することを特徴とする請求項１記載の記録システム。
【請求項３】
前記情報記録装置は、
新たな記録ブロックを形成して、該記録ブロックに前記ダミーデータを記録することを特徴とする請求項２記載の記録システム。
【請求項４】
前記情報記録媒体はディスク状であり、
前記所定の領域は、半径位置が３５ｍｍまでの領域であることを特徴とする請求項１乃至３の何れか１項に記載の記録システム。
【請求項５】
前記情報記録媒体はディスク状であり、
前記所定の位置は、半径位置が３０ｍｍまでの領域であることを特徴とする請求項１乃至３の何れか１項に記載の記録システム。
【請求項６】
前記情報記録媒体は、
書き換えができない情報記録媒体であることを特徴とする請求項１乃至５の何れか１項に記載の記録システム。
【請求項７】
前記情報記録媒体は、ＤＶＤ＋Ｒであることを特徴とする請求項６に記載の記録システム。
【請求項８】
前記ホストと前記情報記録装置は、同一の筐体内に配置されることを特徴とする請求項１乃至７の何れか１項に記載の記録システム。
【請求項９】
前記情報記録装置は、前記ホストと別の筐体内に配置されることを特徴とする請求項１乃至７の何れか１項に記載の記録システム。
【請求項１０】
前記所定の領域までデータが記録されないとき、前記リードアウト領域が前記所定の領域まで含むよう前記リードアウト領域を形成するか否かをユーザに選択させるモードを備えたことを特徴とする請求項１乃至９の何れか１項に記載の記録システム。
【発明の詳細な説明】
【技術分野】
【０００１】
本発明は、ＤＶＤ＋Ｒ等の記録可能な情報記録媒体に対して記録を行う記録システムに関する。
【背景技術】
【０００２】
近年、パーソナルコンピュータ（ＰＣ）は、その機能が向上するに伴い、音楽や映像といったＡＶ（Ａudio-Ｖisual）情報を取り扱うことが可能になってきている。これらのＡＶ情報は、その情報量が非常に大きいため、情報記録媒体としてＤＶＤ（Ｄigital Ｖersatile Ｄisc）系の光ディスクが注目されるようになり、その低価格化とともに、情報記録再生装置としての光ディスク装置がＰＣの周辺機器の一つとして普及するようになってきている。
【０００３】
ＤＶＤ系の記録型ディスクとして、ＤＶＤ＋Ｒ（Ｒecordable）やＤＶＤ＋ＲＷ（Ｒewritable）などのディスクがある。これらは物理特性がＤＶＤ−ＲＯＭディスクに近く、ＤＶＤ−ＲＯＭドライブとの互換性に優れたディスクである。
【０００４】
ＤＶＤ＋ＲＷへデータ記録を行う場合、データ記録に先立って"フォーマット"と呼ばれる処理を行う必要がある。従来、フォーマット処理はディスク全面をダミーデータで記録してしまう処理であり、このためデータ記録前に膨大な時間を必要としていた。しかし、ＤＶＤ＋ＲＷにおけるフォーマット処理では、データ記録に最低限必要な領域を記録しただけでユーザからのデータ記録、再生等の要求を可能にし、残りの領域はユーザからのアクセスがない時間を利用して、ドライブがバックグラウンドで未記録領域をダミーデータで記録する、いわゆるバックグラウンドフォーマットと呼ばれる方式を採用しており、従来ディスクに対してフォーマットに要する時間が格段に削減された。また、バックグラウンドフォーマット中、ディスク全面を記録し終わる前にディスクを取り出すことも可能である。このとき、ＤＶＤ−ＲＯＭドライブとの互換を取るために、ディスク排出前に、最終記録アドレスからテンポラリリードアウトを記録してディスクを取り出すモードが用意されている。
【０００５】
一方、ＤＶＤ＋Ｒはデータの書き換えができないライトワンスディスクであり、データ記録はシーケンシャルに行う必要がある。ファイル単位で追記されたデータをＤＶＤ−ＲＯＭドライブで読ませるために、予めファイル情報を記録する領域をセッションの先頭にリザーブしておき、セッションクローズする際に記録データのファイル情報をリザーブ領域に記録する方式が一般的である。
【０００６】
前述したように、ＤＶＤ＋Ｒのデータ記録はディスク内周からシーケンシャルに記録する必要があるが、記録領域を複数のトラック（ＤＶＤ＋Ｒではフラグメントと呼ぶ）に分割して記録することで、セッションの先頭領域を後から記録することが可能になる。また、セッションをクローズした場合も、新規にセッションを追加することでセッションクローズ後のデータの追記が可能となる。このようにＤＶＤ＋Ｒではマルチトラック、マルチセッション記録方式が採用されている。
【０００７】
ＤＶＤ＋Ｒではトラックを追加した場合、トラックの情報がリードインのセッショディスクコントロールブロック（Ｓession Ｄisc Ｃontrol Ｂlock、以下、ＳＤＣＢ）と呼ばれる領域に記録される。ＳＤＣＢには当該セッション内の全トラックの情報と、当該セッションに先行する全セッションの情報などが含まれる。ＳＤＣＢはトラックを追加する毎に更新され新たな領域に追加記録される。リードイン内にはＳＤＣＢを１６回更新するだけの領域が存在することから、セッション内に記録可能なトラックは最大１６トラックとなっている。
【発明の開示】
【発明が解決しようとする課題】
【０００８】
ところで、ＤＶＤ−ＲＯＭディスクではディスクの半径位置３５ｍｍまではデータが記録されていることになっている。このため、少量のデータを記録してセッションをクローズした場合、ＤＶＤ−ＲＯＭドライブでは正常に読み出せないディスクが存在することなる。
【０００９】
ＤＶＤ＋ＲＷディスクでは、このような場合を考慮して所定量のデータが記録されずにセッションをクローズする場合は、所定の位置までダミーデータを記録してから（テンポラリ）リードアウトを記録するモードが用意されている。
【００１０】
即ち、バックグラウンドフォーマット中にユーザからディスク取り出し要求があった場合、ダミーデータ記録、或いは、ユーザデータ記録サイズをチェックし、記録サイズが所定量よりも小さければ、所定の記録領域をダミーデータで記録してからテンポラリリードアウトを付加してディスクを取り出す。従って、データ記録容量が小さい場合も、取り出したディスクがＤＶＤ−ＲＯＭドライブで正常に読み出されることを保証することが可能となっている。
【００１１】
また、ＤＶＤ−Ｒ／ＲＷディスクなどの場合は、所定の記録容量以下でセッションをクローズする場合、リードアウト領域を所定の領域まで記録するようになっている。ＤＶＤ＋ＲＷにおいても、テンポラリリードアウトの長さを可変にする情報記録再生装置が提案されている。
【００１２】
しかしながら、ＤＶＤ＋Ｒに関しては、セッションクローズ時に、このようなＤＶＤ−ＲＯＭドライブとの互換性を保証するモードは用意されておらず、記録容量が小さくても規定のリードアウトを記録してセッションをクローズするのみであり、セッションクローズしたディスクがＤＶＤ−ＲＯＭドライブで正常に読み出せない可能性がある。
【００１３】
本発明は、記録データサイズが小さい場合にも取り出した情報記録媒体をＤＶＤ−ＲＯＭドライブで正常に再生することを保証する記録システムを提供することを目的とする。
【課題を解決するための手段】
【００１４】
請求項１記載の発明は、ホストと、ホストからの要求に応じて情報記録媒体にデータの記録を行う情報記録装置と、を備えた記録システムであって、前記情報記録媒体は、リードイン領域、データ記録領域、リードアウト領域が形成され、前記データ記録領域は、複数の記録区分に分割され、さらに前記各記録区分内を複数の記録ブロックに分割されて記録が行われ得るものであり、前記ホストは、前記情報記録装置に、最後の前記記録区分を終了する要求を出し、前記情報記録装置は、前記最後の記録区分の終了要求を受領した場合、所定の領域までデータが記録されないとき、前記リードアウト領域が前記所定の領域まで含むよう前記リードアウト領域を形成することを特徴とする。
【００１５】
従って、所定の領域まで含むようリードアウト領域を形成するため、例えば記録データサイズが小さい場合にも取り出した情報記録媒体をＤＶＤ−ＲＯＭドライブで正常に再生することができる。
【００１６】
請求項２記載の発明は、請求項１記載の記録システムにおいて、前記情報記録装置は、前記所定の領域までデータが記録されない場合、ダミーデータを記録した後、前記リードアウト領域を形成することを特徴とする。
【００１７】
従って、所定の領域までのダミーデータ記録を記録ブロックの追記で実行させることで、例えばＤＶＤ＋Ｒ規格に反することなく、記録領域を追加することができ、かつ、記録データ量が少ない場合も所定の領域までは記録されていることになるので、例えばＤＶＤ−ＲＯＭドライブでの読み出しを保証することができる。
【００１８】
請求項３記載の発明は、請求項２に記載の記録システムにおいて、前記情報記録装置は、新たな記録ブロックを形成して、該記録ブロックに前記ダミーデータを記録することを特徴とする。
【００１９】
従って、所定の領域までのダミーデータ記録を記録ブロックの追記で実行させることで、例えばＤＶＤ＋Ｒ規格に反することなく、記録領域を追加することができ、かつ、記録データ量が少ない場合も所定の領域までは記録されていることになるので、例えばＤＶＤ−ＲＯＭドライブでの読み出しを保証することができる。
【００２０】
請求項４記載の発明は、請求項１乃至３の何れか１項に記載の記録システムにおいて、前記情報記録媒体はディスク状であり、前記所定の領域は、半径位置が３５ｍｍまでの領域であることを特徴とする。
【００２１】
従って、具体的に現状のＤＶＤ−ＲＯＭドライブでの読み出しを保証することができる。
【００２２】
請求項５記載の発明は、請求項１乃至３の何れか１項に記載の記録システムにおいて、前記情報記録媒体はディスク状であり、前記所定の位置は、半径位置が３０ｍｍまでの領域であることを特徴とする。
【００２３】
従って、具体的に半径位置が３０ｍｍまでの領域であってもＤＶＤ−ＲＯＭドライブでの読み出しを保証することができる。
【００２４】
請求項６記載の発明は、請求項１乃至５の何れか１項に記載の記録システムにおいて、前記情報記録媒体は、書き換えができない情報記録媒体であることを特徴とする。また、請求項７記載の発明は、請求項６記載の記録システムにおいて、前記情報記録媒体は、ＤＶＤ＋Ｒであることを特徴とする。
【００２５】
従って、具体的に、ＤＶＤ＋Ｒ規格に反することなく、記録領域を追加することができ、かつ、記録データ量が少ない場合も所定の領域までは記録されていることになるので、例えばＤＶＤ−ＲＯＭドライブでの読み出しを保証することができる。
【００２６】
請求項８記載の発明は、請求項１乃至７の何れか１項に記載の記録システムにおいて、前記ホストと前記情報記録装置は、同一の筐体内に配置されることを特徴とする。また、請求項９記載の発明は、請求項１乃至７の何れか１項に記載の記録システムにおいて、前記情報記録装置は、前記ホストと別の筐体内に配置されることを特徴とする。
【００２７】
従って、配置に制限されることがなく、汎用的な記録システムを提供することができる。
【００２８】
請求項１０記載の発明は、請求項１乃至９の何れか１項に記載の記録システムにおいて、前記所定の領域までデータが記録されないとき、前記リードアウト領域が前記所定の領域まで含むよう前記リードアウト領域を形成するか否かをユーザに選択させるモードを備えたことを特徴とする。
【００２９】
従って、ユーザが望む方法でセッションクローズを行うことが可能となる。
【発明の効果】
【００３０】
本発明によれば、記録データサイズが小さい場合にも取り出した情報記録媒体をＤＶＤ−ＲＯＭドライブ等で正常に再生することを保証する記録システムを提供することができる。
【発明を実施するための最良の形態】
【００３１】
以下に、本発明における記録システムを実施するための最良の形態について説明する。まず、本発明の第一の実施の形態を図１ないし図６に基づいて説明する。図１は本実施の形態に係る情報記録装置としての光ディスク装置１の概略構成を示すブロック図である。
【００３２】
この光ディスク装置１は、情報記録媒体としての光ディスク２を回転駆動するためのスピンドルモータ３、光ピックアップ装置４、レーザコントロール回路５、モータドライバ６、再生信号処理回路７、サーボコントローラ８、バッファＲＡＭ９、バッファマネージャ１０、インターフェース１１、ＲＯＭ１２、ＣＰＵ１３及びＲＡＭ１４などを備えて構成されている。なお、図１中に示す矢印は代表的な信号や情報の流れを示すものであり、各ブロックの接続関係の全てを表すものではない。
【００３３】
より詳細には、まず、光ディスク２としては、ＤＶＤ＋Ｒの規格に準拠した情報記録媒体（以下、単に、ＤＶＤ＋Ｒという）が対象とされている。
【００３４】
光ピックアップ装置４は、光源としての半導体レーザ、この半導体レーザから出射されるレーザ光を光ディスク２の記録面に導くとともに記録面で反射された戻り光を所定の受光位置まで導く対物レンズ等を含む光学系、受光位置に配置されて戻り光を受光する受光器、及び、駆動系（フォーカシングアクチュエータ、トラッキングアクチュエータ、シークモータ等）（何れも図示せず）などを含んで構成されている。受光器からは、受光量に応じた電流（電流信号）が再生信号処理回路７に出力される。
【００３５】
サーボコントローラ８では、フォーカスエラー信号に基づいて光ピックアップ装置４のフォーカシングアクチュエータを制御する制御信号を生成するとともに、トラックエラー信号に基づいて光ピックアップ装置４のトラッキングアクチュエータを制御する制御信号を生成する。これらの制御信号はサーボコントローラ８からモータドライバ６に出力される。
【００３６】
モータドライバ６では、サーボコントローラ８からの制御信号に基づいて光ピックアップ装置４のフォーカシングアクチュエータ及びトラッキングアクチュエータを駆動する。また、モータドライバ６では、ＣＰＵ１３の指示に基づいて、光ディスク２の線速度が一定となるようにスピンドルモータ３を制御する。さらに、モータドライバ６では、ＣＰＵ１３の指示に基づいて、光ピックアップ装置４用のシークモータを駆動し、光ピックアップ装置４を光ディスク２の目標トラックに向けて半径方向に移動させる。
【００３７】
インターフェース１１は、外部装置となるホスト（例えば、ＰＣ）と双方向の通信インターフェースであり、ＡＴＡＰＩ及びＳＣＳＩ等の標準インターフェースに準拠している。
【００３８】
ＣＰＵ１３は、ＲＯＭ１２、ＲＡＭ１４とともに当該光ディスク装置１が備えるマイクロコンピュータ（コンピュータ）を構成している。記憶媒体としても機能するＲＯＭ１２には、ＣＰＵ１３により解読可能なコードで記述された後述するような制御プログラムを含むプログラムが格納されている。ＣＰＵ１３は、ＲＯＭ１２に格納されているプログラムに従って上述の各部の動作を制御するとともに、制御に必要なデータ等を一時的にＲＡＭ１４に保存する。なお、当該光ディスク装置１の電源が投入されると、ＲＯＭ１２に格納されているプログラムは、ＣＰＵ１３のメインメモリ（図示せず）にロード（インストール）される。このＣＰＵ１３による制御処理の一つとして、後述するように、セッションクローズ時のデータ記録容量をチェックし、データ記録容量が小さければ所定の領域まで新規トラックを追加してセッションをクローズするなどの処理を行う処理が含まれている。
【００３９】
次に、本実施の形態で対象としている光ディスク２であるＤＶＤ＋Ｒのマルチセッションフォーマット例を図２に示す模式図を参照して説明する。なお、当該光ディスク２におけるファイルシステムとしては、シーケンシャルＵＤＦ規格に準拠するものとする。
【００４０】
図２に示す例では、説明を簡単にするため、例えば、光ディスク２上に存在する１つの記録区分としてのセッション（オープンセッション又はクローズセッション）ＳessionＮを示している。このセッションＳessionＮには、記録ブロックとして３つのトラック（ＤＶＤ＋Ｒでは、フラグメント）Ｎ，Ｎ＋１，Ｎ＋２が存在しているケースを示している。また、当該セッションＳessionＮの所定の領域、例えば、リードイン（或いは、イントロ）には管理情報領域となるセッションディスクコントロールブロックＳＤＣＢ(Ｓession Ｄisc Ｃontrol Ｂlock)が当該セッションＳessionＮのデータ記録が完了する毎に新たに確保され、データ記録に関する管理情報が記録される。
【００４１】
ここに、この図２を参照して本実施の形態の光ディスク２に対する記録時のセッションクローズ動作の原理について簡単に説明する。図２は、ＤＶＤ＋Ｒによる光ディスク２に対するセッションクローズ時のダミーデータ記録の様子を模式的に示す。本実施の形態では、ダミーデータ記録を行うための所定の領域に関する閾値を、その一例としてディスク半径位置３５ｍｍとしている。ユーザからセッションクローズ要求があった場合、従来では、図２（ａ）に示すようにリードアウト（Ｌead Ｏut）開始位置をユーザデータの終了アドレスとしていたが、本実施の形態では、データ記録サイズを判断し、データ記録サイズがディスク半径位置Ｒ＝３５ｍｍよりも小さかった場合には、図２（ｂ）に示すように、リードアウト（Ｌead Ｏut）の終了アドレスがディスク半径位置Ｒ＝３５ｍｍとなるようトラックＮ＋３を新規に追記しダミーデータを記録し、最後にリードアウト（Ｌead Ｏut）を付加してセッションクローズ処理を行わせるようにしたものである。このようなトラック記録の際、ＤＶＤ＋Ｒ規格を満たすためＳＤＣＢにトラックＮ＋３の情報を追加して更新する。
【００４２】
図３にこのようなＳＤＣＢのフォーマット例を示す。図３に示すように、ＳＤＣＢ内には"Ｃontents Ｄescriptor""Ｕnknown Ｃontents Ｄescriptor Ａctions""Ｄrive ＩＤ""Ｓession Ｎumber（セッション番号）"等の記述を含む他、ＳＤＣＢ特有の情報として各々１６バイト構成の複数（０〜Ｎ）の"Ｓession Ｉtem（セッションアイテム）"が存在する。
【００４３】
このような"Ｓession Ｉtem（セッションアイテム）"には、当該セッション内のフラグメント情報を示す"Ｆragment Ｉtem"と、当該セッション以前のセッション情報を示す"Ｐrevious Ｓession Ｉtem"との２種類が存在する。
【００４４】
図４に"Ｆragment Ｉtem"のフォーマット例を示す。"Ｆragment Ｉtem"のフォーマット中には、"Ｆragment number（フラグメント番号）""Ｆragmentstart address（フラグメントの開始アドレス）""Ｆragment end address（フラグメントの終了アドレス）"等のフラグメント情報が管理情報として記述されるように設定されている。このような"Ｆragment Ｉtem"は当該セッション内に存在するフラグメント毎に"Ｓession Ｉtem"の一つとして用意される。図２に示す例であれば、図２（ａ）ではＮ〜Ｎ＋２の３つの"Ｆragment Ｉtem"が存在するが、図２（ｂ）ではＮ〜Ｎ＋３の４つの"Ｆragment Ｉtem"が存在することとなる。
【００４５】
図５に"Ｐrevious Ｓession Ｉtem"のフォーマット例を示す。"ＰreviousＳession Ｉtem"のフォーマット中には、"Ｐrevious session number（以前のセッション番号）""Ｐrevious session start address（以前の当該セッションの開始アドレス）""Ｐrevious session end address（以前の当該セッションの終了アドレス）"等のセッション情報が管理情報として記述されるように設定されている。このような"Ｐrevious Ｓession Ｉtem"は当該セッション以前に存在するセッション毎に"Ｓession Ｉtem"の一つとして用意される。図２に示す例であれば、図２（ａ）（ｂ）の各ＳＤＣＢに各々（Ｎ−１）個ずつの"Ｐrevious Ｓession Ｉtem"が存在することとなる。
【００４６】
このようなＳＤＣＢにおいても、各々追記領域があり、例えば、トラック、セクションの追加によりＳＤＣＢの情報も同様に追加される。
【００４７】
このような構成において、ＣＰＵ１３より実行されるセッションクローズ処理の制御例を図６に示すフローチャートを参照して説明する。なお、記録動作に際しては、光ディスク２を複数のセッション（記録区分）に分割するとともに、各セッション（記録区分）内を複数のトラック＝フラグメント（記録ブロック）に分割して記録する周知の記録手段の機能が発揮されるものとする。
【００４８】
まず、この処理はユーザからセッションクローズの要求があった場合に実行されるものであり、当該要求があった場合、既に記録されているデータサイズをチェックし（ステップＳ１）、ディスク半径位置Ｒ＝３５ｍｍ以下であるか否かを判断する（Ｓ２）。これらのステップＳ１，Ｓ２の処理が判断手段の機能と実行されるが、例えば、最終セッションのリードアウトの終了アドレス等に基づき判断すればよい。データサイズがディスク半径位置Ｒ＝３５ｍｍ以下でなければ（Ｓ２のＮ）、通常通りにセッションクローズ処理を行い（Ｓ６）、セッションクローズ処理を終了する。
【００４９】
一方、データサイズがディスク半径位置Ｒ＝３５ｍｍ以下の場合には（Ｓ２のＹ）、リードアウトを含めてディスク半径位置Ｒ＝３５ｍｍとなるよう新規のトラックを追加記録し（Ｓ４）、新規に追加記録したトラック情報を当該セッションのＳＤＣＢに更新記録する（Ｓ５）。その後、通常通りにセッションクローズ処理を行い（Ｓ６）、セッションクローズ処理を終了する。これらのステップＳ４，Ｓ５，Ｓ６の処理が追加終了処理手段の機能として実行される。
【００５０】
ところで、セッションクローズ時に新規にトラックを追記するためには、リードイン内にＳＤＣＢを追記するための領域がなければならないので、データサイズがディスク半径位置Ｒ＝３５ｍｍ以下の場合には（Ｓ２のＹ）、ＳＤＣＢ領域にＳＤＣＢを追加する領域（空き領域）があるかどうかをチェックし（Ｓ３）、ＳＤＣＢ領域に空きがなかったらユーザに対してエラー報告する処理を行う（Ｓ７）。このステップＳ７の処理が報告手段の機能として実行される。このように、ＳＤＣＢを更新する領域に空きがない場合はユーザに対しエラー報告させることで、ＤＶＤ＋Ｒ規格に反した光ディスク２が作成されてしまうことを回避することが可能となる。
【００５１】
なお、本実施の形態では、現状のＤＶＤ−ＲＯＭディスクの規格でディスク半径位置３５ｍｍまでデータが記録されていることとされている点に対応させて、ステップＳ４の処理によりダミーデータ記録を行うかどうかの判定閾値を、ディスク半径位置Ｒ＝３５ｍｍの位置としたが、ＤＶＤ＋ＲＷドライブの中には、バックグラウンドフォーマットにおけるＤＶＤ−ＲＯＭ互換モードの半径閾値を３０ｍｍとしているドライブも存在する。これは、３０ｍｍ付近までデータ記録されていればほとんどのＤＶＤ−ＲＯＭドライブでの再生互換が実証されているためである。従って、本実施の形態のダミーデータ記録を行うための判定閾値となる所定の半径位置としては、例えば、ディスク半径位置３０ｍｍの如く設定することも可能である。この点は、以下の実施の形態でも同様である。
【００５２】
このように、本実施の形態によれば、所定の領域（例えば、ディスク半径位置Ｒ＝３５ｍｍ）までのダミーデータ記録を新規トラックの追記で実行させることで、ＤＶＤ＋Ｒ規格に反することなく、記録領域を追加することができ、かつ、記録データ量が少ない場合も所定の領域（例えば、ディスク半径位置Ｒ＝３５ｍｍ）までは記録されていることになるので、ＤＶＤ−ＲＯＭドライブでの読み出しを保証することができる。
【００５３】
また、本実施の形態の処理制御において、ステップＳ４等による追加終了処理手段の処理を実行させるか否か、即ち、ＤＶＤ−ＲＯＭ互換性を重要視するか否かの選択モードを用意しておき、ユーザに選択自在とし、ユーザからセッションクローズ要求があった場合に、まず、ユーザ要求がＤＶＤ−ＲＯＭ互換性を重要視するモードかどうかをチェックするようにしてもよい（Ｓ８）。このモード判定の結果、ＤＶＤ−ＲＯＭ互換性を重要視するモードが選択されていなければ（Ｓ８のＮ）、通常通りセッションクローズ処理を行い（Ｓ６）、処理を終了する。一方、ＤＶＤ−ＲＯＭ互換性を重要視するモードが選択されている場合には（Ｓ８のＹ）、データサイズに応じて前述の処理が実行される。
【００５４】
即ち、所定のデータ量以下でセッションクローズを行った光ディスク２であっても、全てのＤＶＤ−ＲＯＭドライブで再生できないわけではなく、また、ダミーデータ記録はＤＶＤ−ＲＯＭとの互換性を高める反面、ダミーデータ記録による処理時間の増大といった欠点を合わせて含んでいることから、所定の領域までのダミーデータ記録を行うかどうかをユーザに選択させることで、ユーザが望む方法でセッションクローズを行うことが可能となる。
【００５５】
本発明の第二の実施の形態を図７に基づいて説明する。第一の実施の形態で示した部分と同一部分は同一符号を用いて示し、説明も省略する。
【００５６】
本実施の形態において、ＣＰＵ１３より実行されるセッションクローズ処理の制御例を図７に示すフローチャートを参照して説明する。
【００５７】
まず、ユーザからセッションクローズの要求があった場合、既に記録されているデータサイズをチェックし（Ｓ１）、ディスク半径位置Ｒ＝３５ｍｍ以下であるか否かを判断する（Ｓ２）。データサイズがディスク半径位置Ｒ＝３５ｍｍ以下でなければ（Ｓ２のＮ）、通常通りにセッションクローズ処理を行い（Ｓ６）、セッションクローズ処理を終了する。
【００５８】
一方、データサイズがディスク半径位置Ｒ＝３５ｍｍ以下の場合には（Ｓ２のＹ）、リードアウトを含めてディスク半径位置Ｒ＝３５ｍｍとなるようにダミーデータを記録し（Ｓ９）、トラックサイズを変更した最終トラックの終了アドレスを更新したＳＤＣＢに更新記録する（Ｓ１０）。その後、通常通りにセッションクローズ処理を行い（Ｓ６）、セッションクローズ処理を終了する。これらのステップＳ４，Ｓ５，Ｓ６の処理が追加終了処理手段の機能として実行される。これらのステップＳ９，Ｓ１０，Ｓ６の処理が追加終了処理手段の機能として実行される。
【００５９】
ここに、第一の実施の形態の場合の処理例との違いは、第一の実施の形態ではダミーデータ記録を、新規トラックを追記することで実行しているのに対し、本実施の形態では最終トラックのトラックサイズを変更することで実現している点である。
【００６０】
即ち、トラックを追加する際には、セッション内に存在する全トラック情報を含んだＳＤＣＢが新たに追加記録される。従って、リードイン内に存在する複数のＳＤＣＢのうち、最外周に記録されているＳＤＣＢが有効なＳＤＣＢとなる。この場合、第一の実施の形態では、セッションクローズ時に所定の領域までをダミーデータで記録し、その領域を新規トラックとして追加更新されたＳＤＣＢを新規に追記するが、新規トラックとしてＳＤＣＢ情報を更新するのではなく、最終トラックのトラックサイズを変更してＳＤＣＢを更新してもよい。つまり、セッションクローズ時に最終トラックの終了アドレスを、ダミーデータ記録を行った最終アドレスに変更してＳＤＣＢを更新することで、セッション内のトラック数を変更することなくダミーデータ記録を行うことが可能になる。これによれば、ダミーデータ記録でトラック記録を行わないため、セッション内にユーザが意図しないトラックが生成されることを防ぐことが可能となる。
【００６１】
なお、図７中には特に図示しないが、本実施の形態の場合も、ステップＳ３，Ｓ７，Ｓ８の処理を含めてもよいのはもちろんである。
【００６２】
また、これらの実施の形態では、光ディスク２がＤＶＤ＋Ｒである場合について説明したが、これに限らず、セッションやトラックといった複数のデータ領域（記録ブロック）に分割してデータ記録されるとともに、データ記録に関する管理情報が所定の管理情報領域に記録され、かつ、当該管理情報は所定のデータ記録が完了する毎に更新されて新たな管理情報領域に追加記録される情報記録媒体であればよい。
【００６３】
また、本実施の形態の光ディスク装置１は、ホストと同一の筐体内に配置される、いわゆる内蔵型であってもよく、或いは、ホストとは別の筐体内に配置される、いわゆる外付け型であってもよい。
【００６４】
さらには、情報記録装置として光ディスク装置が用いられる場合について説明したが、これに限らず、情報記録の対象媒体として、セッションやトラックといった複数のデータ領域に分割してデータ記録するとともに、データ記録に関する管理情報を所定の管理情報領域に記録し、かつ、当該管理情報を所定のデータ記録が完了する毎に更新されて新たな管理情報領域に追加記録する情報記録媒体を用いる情報記録装置であればよい。もちろん、記録のみならず、再生機能を備えた情報記録再生装置であってもよい。
【図面の簡単な説明】
【００６５】
【図１】本発明の第一の実施の形態の光ディスク装置の概略構成を示すブロック図である。
【図２】ＤＶＤ＋Ｒのマルチセッションフォーマット例及びセッションクローズ原理を示す模式図である。
【図３】ＳＤＣＢのフォーマット例を示す説明図である。
【図４】"Ｆragment Ｉtem"のフォーマット例を示す説明図である。
【図５】"Ｐrevious Ｓession Ｉtem"のフォーマット例を示す説明図である。
【図６】セッションクローズ処理制御例を示す概略フローチャートである。
【図７】本発明の第二の実施の形態のセッションクローズ処理制御例を示す概略フローチャートである。
【符号の説明】
【００６６】
２ 情報記録媒体、ＤＶＤ＋Ｒ
Ｓ１，Ｓ２ 判断手段
Ｓ４，Ｓ５，Ｓ６ 追加終了処理手段
Ｓ７ 報告手段
Ｓ９，Ｓ１０，Ｓ６ 追加終了処理手段
【図１】
2007048451.tif 000003
【図２】
2007048451.tif 000004
【図３】
2007048451.tif 000005
【図４】
2007048451.tif 000006
【図５】
2007048451.tif 000007
【図６】
2007048451.tif 000008
【図７】
2007048451.tif 000009